(57)【特許請求の範囲】
【請求項１】
吸収体の外側に外面シートが内側に透液性の内面シートが重ねられた積層体により形成され、着用者の腹側に当てられる前面部と、尻側に当てられる後面部と、股間部に当てられる中間部とを有するおむつにおいて、
前記前面部から中間部を経て後面部に至る方向を縦方向としたときに、
前記前面部または後面部の表面に、第１の止着部が縦方向に間隔を開けて設けられ、体に装着されるときに前記前面部に重ねられる後面部の両側または後面部に重ねられる前面部の両側のそれぞれの箇所に、前記第１の止着部に止められる第２の止着部が縦方向に間隔を開けて設けられており、
前記第１の止着部の縦方向の配置ピッチＰ１よりも前記第２の止着部の縦方向の配置ピッチＰ２の方が大きく、
縦方向に並ぶ前記第１の止着部の縦方向の終端部間の全長寸法Ｈ１よりも、縦方向に並ぶ前記第２の止着部の縦方向の終端部間の間隔寸法Ｈ２の方が大きいことを特徴とするおむつ。
【請求項２】
前記第１の止着部の縦方向の幅寸法Ｂ１が、前記第２の止着部の縦方向の幅寸法Ｂ２よりも大きい請求項１記載のおむつ。
【請求項３】
前記縦方向と直交する方向を横方向としたときに、第１の止着部は、横方向へ長辺が向けられた長方形状である請求項１または２記載のおむつ。
【請求項４】
第２の止着部は、複数の掛止突体を有する樹脂製の掛止シートで、第１の止着部は、前記掛止突体が掛止される織布シートまたは不織布シートである請求項１ないし３のいずれかに記載のおむつ。
【発明の詳細な説明】
【０００１】
【発明の属する技術分野】
本発明は、着用者の体形、特に胴回りにフィットできるように装着されるおむつに関する。
【０００２】
【従来の技術】
図６は従来の使い捨ておむつの正面図である。
おむつ１は外面シート２と、液透過性の内面シート３と、両シート間に介在する吸収体４とから成る。前記外面シート２は外側に向けられるものであるため、尿が外側に洩れないよう不透液性で且つ通気性のよい樹脂シートで形成される。また、内面シート３は肌側に向けられて直接肌と接し、また尿が与えられる側となるため、尿などの水分を吸収体４に透過するよう透液性の不織布や軟質の多孔性シートなどの肌にやさしい素材で形成される。また、吸収体４としては、粉砕パルプまたは粉砕パルプと高吸水性ポリマーなどの混合物が使用される。
前記吸収体４は着用者の体の形に合わせて例えば砂時計形状に切断されて成形され、成形後の吸収体４が外面シート２と内面シート３とで挟まれる。外面シート２および内面シート３は吸収体４とほぼ同じ形状で、吸収体４より大きく成形されており、吸収体４の存在しない両端部でホットメルト型接着剤などにより互いに接着接合されている。
【０００３】
図６に示すおむつ１では、後面部１Ｃが着用者の尻に当てられ、中間部１Ｂが股間に当てられ、前面部１Ａが腹側に当てられる。そして、後面部１Ｃにおいておむつ１の横方向に延出している翼片１ｂを図にて矢印▲１▼に示す方向に引いて前面部１Ａに重ね合わせて、前面部１Ａの掛止ファスナー６に翼片１ｂの掛止ファスナー７を掛止させておむつ１を着用する。
【０００４】
おむつ１の中間部１Ｂの横方向の端部にはおむつ１の縦方向に向かって延びる平板状のゴム５が、外面シート２と内面シート３の間にて伸ばされた状態でホットメルト型接着剤などにより部分的に接着されており、大腿部ギャザー１ａが形成されている。このおむつ１を装着したとき、大腿部ギャザー１ａは着用者の大腿部を弾性的に締め付けるようになっている。
このおむつが成人に使用される場合、おむつの大きさは幼児用おむつよりもかなり大きくなり、その分おむつ１個当たりに使用される材料が多くなるので、おむつの単価が高くなる。したがって、排尿の度におむつを取り替えることは経済的ではない。そこで、通常は尿取りパッド８が併用して使用され、排尿後にこの尿取りパッド８だけを取り替えるようにしている。
【０００５】
図６および図７において、符号８は男性用の尿取りパッドである。尿取りパッド８は不透液性の樹脂シートなどの外側シート９と不織布などの内側シート１０と両シート間に設けられた吸収体１１とが重ねられたシート状の積層体から成る。この積層体の幅方向および長辺方向の端部の吸収体が存在しない領域において、外側シート９と内側シート１０がホットメルト型接着剤により接着されている。また、幅方向の端部には、長辺方向に延びる平ゴムなどの弾性体１２が、外側シート９と内側シート１０の間にて伸ばされた状態で部分的に接着されており、これによりギャザー８ａが形成されている。そして、この積層体の長辺方向の端部において、外側シート９の表面には粘着剤などが塗布された粘着部１３，１４が設けられている。
【０００６】
この尿取りパッド８が着用されるとき、シート状の積層体は長辺方向の中央が頂点になるようにその両端が▲２▼方向へ導かれて円錐形状に成形され、粘着部１３の上に積層体の他端が重ね合わされて粘着部１３において積層体の両端が接合され、図７（Ｂ）に示すような円錐形の袋状の尿取りパッド８に成形される。
この尿取りパッド８を男性の着用者に対し重ね合わせ部８ｂが前方に向くように装着し、尿取りパッド８を装着した状態で、おむつ１の中間部１Ｂにおいて内面シート３と粘着部１４を粘着させて、おむつ１を着用する。
また、図７（Ａ）に示すものと同じ構造のものが女性用の尿取りパッドとしても使用される。このときには、この積層体の長さ方向がおむつの長さ方向に合うよう、尿取りパッド８の外側シート９とおむつ１の内面シート３が向かい合うよう中間部１Ｂに重ね合わせ、粘着部１３，１４をおむつの内面シート３に粘着させて使用する。
【０００７】
【発明が解決しようとする課題】
このようなおむつにおいて、前面部１Ａから中間部１Ｂを経て後面部１Ｃに至る方向をおむつ１の縦方向としたとき、従来は、前面部１Ａに設けられている掛止ファスナー６の縦方向の配列ピッチと、後面部１Ｃの翼片１ｂに設けられている掛止ファスナー７の縦方向の配列ピッチがほぼ同一であった。そのため、翼片１ｂを前面部１Ａの表面に重ねて掛止ファスナー６と７を互いに掛止させたときに、前面部１Ａと後面部１Ｃとのつながり部分は、縦方向に内径寸法が均一なほぼ円筒形状になる。
【０００８】
しかし、人の体形は、腰回りの寸法よりも胴回りの寸法（ウエスト寸法）の方が短いのが一般的であるため、前面部１Ａと後面部１Ｃとのつながり部分がほぼ円筒形状であると、この部分が腰回りの寸法に合わされることになるため、胴回り（ウエスト）の部分ではおむつと体との間に隙間が形成されやすくなる。したがって、掛止ファスナー６と７とを掛止させたときに、おむつが胴回りにフィットせず、掛止ファスナーの掛止により、胴回りに対しておむつを十分に締め付けることができなくなり、位置ずれなどが生じやすくなる。特に成人の体形は幼児に比べて、腰回り寸法と胴回り寸法との差が大きいため、成人用のおむつでは、胴回り部分におむつを十分に締め付けてフィットさせることが困難である。
【０００９】
また新生児用または幼児用のおむつにおいても、股間部に装着される中間部１Ｂの吸収体の量が多いため、おむつを体に装着したときに、股間部での膨らみが大きくなる。そのため、前面部１Ａと後面部１Ｃとのつながり部分が内径寸法の均一な円筒形状であると、掛止ファスナー６と７とで、胴回り部分またはお腹の回りでおむつを十分に締め付けることが難しくなる。
【００１０】
本発明は、上記の課題を解決するものであり、胴回り部分を十分に締め付けることができるようにしたおむつを提供することを目的としている。
【００１１】
【課題を解決するための手段】
本発明は、吸収体の外側に外面シートが内側に透液性の内面シートが重ねられた積層体により形成され、着用者の腹側に当てられる前面部と、尻側に当てられる後面部と、股間部に当てられる中間部とを有するおむつにおいて、
前記前面部から中間部を経て後面部に至る方向を縦方向としたときに、
前記前面部または後面部の表面に、第１の止着部が縦方向に間隔を開けて設けられ、体に装着されるときに前記前面部に重ねられる後面部の両側または後面部に重ねられる前面部の両側のそれぞれの箇所に、前記第１の止着部に止められる第２の止着部が縦方向に間隔を開けて設けられており、
前記第１の止着部の縦方向の配置ピッチＰ１よりも前記第２の止着部の縦方向の配置ピッチＰ２の方が大きく、
縦方向に並ぶ前記第１の止着部の縦方向の終端部間の全長寸法Ｈ１よりも、縦方向に並ぶ前記第２の止着部の縦方向の終端部間の間隔寸法Ｈ２の方が大きいことを特徴とするものである。
【００１４】
また、前記縦方向と直交する方向を横方向としたときに、第１の止着部は、横方向へ長辺が向けられた長方形状であることが好ましい。
【００１５】
前記において、第２の止着部は、例えば複数の掛止突体を有する樹脂製の掛止シートで、第１の止着部は、前記掛止突体が掛止される織布シートまたは不織布シートである。または第２の止着部が粘着テープで、第１の止着部が、この粘着シートが貼着されるフィルムシートなどであってもよい。
【００１６】
本発明では、図２（Ａ）に示すように、第１の止着部１９の縦方向の配置ピッチＰ１よりも、第２の止着部２０の縦方向の配置ピッチＰ２の方が大きく、さらに、縦方向に間隔を開けて設けられた第１の止着部１９の縦方向の終端部間の全長寸法Ｈ１よりも、縦方向に間隔を開けて設けられた第２の止着部２０の縦方向の終端部間の間隔寸法Ｈ２の方が大きい。そのため、体に装着したときに、図１に示すように、後面部１５Ｃの両側部すなわち後翼片１５ｂの縁部を斜めにすると、第２の止着部２０がちょうど第１の止着部１９の縦方向の中央に一致して互いに止着されるものとなる。または、後翼片１５ｂの縁部を斜めにしないと、第２の止着部２０の縦方向の終端部分が第１の止着部１９から縦方向へはみ出してしまうため、装着するときに必然的に図１に示すように、後翼片１５ｂの縁部を縦方向に対して斜めにし、第２の止着部２０と２０を縦方向に対して斜めに向けて第１の止着部１９に止着しなくてはならなくなる。
【００１７】
また、第１の止着部１９を横方向に長辺が向く長方形状または帯形状とし、第１の止着部１９を横方向に長く形成し、さらに第１の止着部１９の縦方向の幅寸法Ｂ１を、第２の止着部２０の縦方向の幅寸法Ｂ２よりも十分に大きくしておくと、装着状態で後翼片１５ｂの縁部を傾ける角度を自由に選択でき、どのような体形の人体に対してもおむつを確実に装着することができるようになる。
【００１８】
したがって、おむつを人体に装着したときに、腰回りでは膨らみが大きくなり、胴回り部分（ウエスト部分）では、径が小さくなり、体にフィットしやすくなる。またウエスト側の止着部１９と２０どうしを確実に止着でき、ウエスト部に対しておむつを確実に締め付けることができる。そのため、人体に対しておむつが位置ずれしにくくなる。
【００１９】
よって、おむつを成人の体形に合わせやすくなり、また新生児や幼児に対しても、おむつを胴回りに確実に締め付けることができる。
【００２０】
【発明の実施の形態】
以下に本発明の実施の形態を図面を参照しながら説明する。
図１は本発明のおむつの装着状態を示す斜視図、図２はこのおむつの展開平面図であり、（Ａ）はおむつの表側の展開平面図、すなわち着用されたときに体の外側に向けられる面の展開平面図、（Ｂ）はおむつの裏側の展開平面図、すなわち着用されたときに着用者の体側に向けられる面の展開平面図である。また、図３（Ａ）（Ｂ）は図２（Ｂ）または図４（Ｂ）のＩＩＩ−ＩＩＩ線での断面図である。
おむつ１５は外面シート１６と内面シート１７と、この両シートの間に介在する吸収体１８とから成る積層体により形成されている。前記外面シート１６は体の外側に向けられるため尿などが外側に洩れないよう不透液性で且つ通気性の樹脂シートなどが使用されている。また、内面シート１７は着用者の肌側に向けられて肌に直接触れるため、透液性の不織布などの肌に優しい素材が使用され、例えば目付け１５〜２５ｇ／ｍ２の不織布が使用される。
【００２１】
吸収体１８としては、尿をよく吸収でき、しかも着用者に不快感を与えないよう粉砕パルプあるいは粉砕パルプと高吸水性ポリマーなどの混合物が使用されている。吸収体１８として使用されるパルプとしては、例えば比重が１００〜５００ｇ／ｍ２と軽いものが一般的に使用される。前記吸収体１８は中間部１５Ｂにおいて多少幅が狭くなるよう砂時計形状にパターン積織法やカッティングなどにより成形される。図２（Ｂ）にてハッチングで示す領域が吸収体１８が存在する領域である。
【００２２】
図２（Ａ）および（Ｂ）に示されているように、おむつ１５の前面部１５Ａには、おむつの横方向に延出する前翼片１５ａ，１５ａが、後面部１５Ｃには、横方向の両側部となる後翼片１５ｂ，１５ｂが延出されて形成されている。
この前翼片１５ａ，１５ａ及び後翼片１５ｂ，１５ｂは、外面シート１６および内面シート１７を横方向に延出させ、両シート１６と１７を吸収体１８を介在させることなくホットメルト型接着剤２４により互いに接着することにより形成されている。または、外面シート１６及び内面シート１７とは別に、樹脂シートまたは目付の大きい不織布を所定形状に切断して、水不溶性の接着剤で取り付けることにより前翼片１５ａと後翼片１５ｂとを形成してもよい。
【００２３】
前面部１５Ａでは、外面シート１６の表面に、止着手段の一例として掛止ファスナーを形成する第１の止着部１９が縦方向に間隔を開けて固着され、後翼片１５ｂの先端部（後面部１５Ｃの両側部）には、同じく止着手段としての掛止ファスナーを形成する第２の止着部２０が縦方向に間隔を開けて固着されている。おむつ１５が装着されるとき、後面部１５Ｃは着用者の尻側に当てられ、中間部１５Ｂは股間部に当てられて、前面部１５Ａが腹側に当てらる。そして、後翼片１５ｂ，１５ｂが前面部１５Ａの外面シート１６上に重ね合わされて、第２の止着部２０と第１の止着部１９が掛止接合される。
【００２４】
図２（Ａ）に示すように、第１の止着部１９の縦方向の幅寸法の中心線間の間隔（縦方向の配置ピッチ）Ｐ１よりも、第２の止着部２０の縦方向の幅寸法の中心線間の間隔（縦方向の配置ピッチ）Ｐ２の方が大きくなっている。また第１の止着部１９，１９の縦方向の終端部間の全長寸法Ｈ１よりも、第２の止着部２０，２０の縦方向の終端部間の間隔寸法Ｈ２の方が大きく形成されている。さらに、第１の止着部１９の縦方向の幅寸法Ｂ１が、第２の止着部２０の縦方向の幅寸法Ｂ２よりも十分に大きく形成されている。
例えば、成人用（老人用）のおむつの場合、第１の止着部１９の配置ピッチＰ１は８０ｍｍで、第２の止着部２０の配置ピッチＰ２は１３５ｍｍである。Ｐ２／Ｐ１の比はほぼ３．１／１．９であり、Ｐ２／Ｐ１は３／２以上であることが好ましい。また、寸法Ｈ１は１３０ｍｍで、Ｈ２は１６５ｍｍであり、その差は３５ｍｍである。さらに幅寸法Ｂ１は５０ｍｍで、幅寸法Ｂ２は３０ｍｍであり、Ｂ１／Ｂ２は５／３またはそれ以上であることが好ましい。さらに第１の止着部１９はおむつの横方向に長辺が向けられた長方形または帯状であり、その長さは例えば２３５ｍｍである。
【００２５】
第１の止着部１９は横方向の長さ寸法が大きいため、着用者の胴回りの大きさに合わせて、止着部１９と２０の接合位置を変えて着用することが可能である。さらに、第２の止着部２０の配置ピッチＰ２が第１の止着部１９の配置ピッチＰ１よりも大きく、第２の止着部２０の縦方向の終端部間の寸法Ｈ２が、第１の止着部１９の縦方向の終端部間の寸法Ｈ１よりも大きいため、装着状態では、図１に示すように、必然的に、後翼片１５ｂの縁部が縦方向に対して斜めに設置され、第２の止着部２０と２０が縦方向に対して斜めに向けられて第１の止着部１９に止着される。
【００２６】
したがって、図１に示すように、縦方向の上側に位置する第１の止着部１９と第２の止着部２０との止着位置を、縦方向の下側（中間部１５Ｂ側）に位置する第１の止着部１９と第２の止着部２０との止着位置よりもおむつの内側に寄せた状態で、第２の止着部２０を第１の止着部１９の縦方向のほぼ中心に止着できるようになる。よって、装着状態のおむつは、腰回りで太く、胴回り（ウエスト）で細くなり、体にフィットしやすく、またウエストの部分で身体に確実に締め付けることができるようになる。
【００２７】
また、この実施の形態では、第２の止着部２０が、先端に掛止頭部を有するキノコ形状または鉤形状の多数の掛止突体が形成された樹脂製の掛止シートであり、第１の止着部１９は、ポリエステル繊維によりトリコット編みされた織布または不織布である。なお、第２の止着部２０として掛止シートの代りに粘着テープが設けられ、第１の止着部１９の織布または不織布の代りにフィルムが設けられ、装着状態で粘着テープがフィルム表面に粘着させられるものであってもよい。
【００２８】
おむつ１５の中間部１５Ｂの両縁部には、例えば２本の平ゴム２１，２１が縦方向に伸ばされた状態で、外面シート１６と内面シート１７の間にて、両シートに対しホットメルト型接着剤などにより接着されている。この平ゴム２１，２１により縦方向が収縮させられて皺が寄り、大腿部ギャザー１５ｃが形成される。この大腿部ギャザー１５ｃにより、おむつは外面シート１６側が凸状の立体形状となる。おむつ１５を装着したときに、この大腿部ギャザー１５ｃが着用者の足の付け根を適度に締め付け、大腿部とおむつの間に隙間が生じるのを防止し、おむつが着用者の大腿部にフィットできるものとなっている。
【００２９】
図２（Ａ）に示されているように、おむつ１５の中間部１５Ｂでの縦方向の中心域よりも前面部１５Ａ側の部分、さらに詳しくは中間部１５Ｂから、前記中間部１５Ｂと前面部１５Ａとの境界部分にかけての領域αには、おむつの横方向に延びる平ゴムなどの弾性部材２２が、縦方向に間隔を開けて複数本設けられている。この弾性部材２２は、図３（Ａ）に示すように吸収体１８の外側で且つ外面シート１６の内面に設けられ、伸び率が、１．５倍ないし３倍、好ましくは２倍ないし２．５倍となるように伸ばされた状態で外面シート１６にホットメルト型接着剤２４で接着固定されている。弾性部材２２と外面シート１６は、ホットメルト型接着剤２４により弾性部材２２の全長にわたって接着され、または弾性部材２２と外面シート１６はホットメルト型接着剤２４で部分的に接着されている。また図３（Ａ）に示すように、薄肉部２３ａの部分では、弾性部材２２と内面シート１７と外面シート１６とが、互いに前記接着剤２４により接着固定されている。
【００３０】
前記弾性部材２２により領域αにおいておむつが横方向に収縮させられ、フロントギャザーＧが形成される。図２に示す例では、前記フロントギャザーＧが中間部１５Ｂ、および中間部１５Ｂと前面部１５Ａとの境界部にかけて形成されている。図６および図７（Ｂ）に示される男性用の尿取りパッド８が併用される場合、弾性部材２２が設けられている領域αは、前記尿取りパッド８が装着される領域にほぼ一致している。この場合、中間部１５Ｂの横方向の中心線Ｏから前面部１５Ａにて最も端に設けられた弾性部材２２までの距離（図２（Ａ）にてＭで示す）は２５０ｍｍ程度であることが望ましい。
【００３１】
図２（Ｂ）に示されているように、おむつ１５の吸収体１８が設けられている領域のほぼ全面に、複数本の薄肉部２３ａ，２３ｂ，２３ｃが形成されている。薄肉部２３ａは、中間部１５Ｂにて縦方向に直線状に延び、横方向に一定の間隔を開けて３条形成されている。また薄肉部２３ｂと２３ｃは、前面部１５Ａと後面部１５Ｃにおいて、縦方向に直線状に延び、また横方向に一定の間隔を開けて４条ずつ設けられている。また中間部１５Ｂに設けられた薄肉部２３ａと、前面部１５Ａおよび後面部１５Ｃに設けられた薄肉部２３ｂ，２３ｃとは、互いに分離されており不連続である。
【００３２】
また、中間部１５Ｂに設けられている３条の薄肉部２３ａと、前面部１５Ａに設けられた４条の薄肉部２３ｂは、中間部１５Ｂと前面部１５Ａとの境界部にて、薄肉部の終端部どうしが互い違いに入り込むように形成されており、この部分では薄肉部２３ａと薄肉部２３ｂとが横方向に互いに重なった位置に形成されている。なお、薄肉部２３ａと薄肉部２３ｂとが互い違いに交じり合う部分は、前記弾性部材２２が設けられてフロントギャザーＧが形成される領域αの中に位置している。なお、薄肉部２３ａと薄肉部２３ｂとが互い違いに形成される部分は、中間部１５Ｂと前面部１５Ａとの境界に正確に一致している必要はなく、境界部付近であれば、中間部１５Ｂ側に寄った位置であってもよいし、前面部１５Ａ側に寄った位置であってもよい。また薄肉部２３ａと薄肉部２３ｂが互い違いとなる部分は、前記領域α内であることが好ましいが、弾性部材２２による収縮力を受ける場所であれば領域αから若干外れていてもよい。
さらに、前面部１５Ａでは、横方向に帯状に延びる縦方向に間隔を開けた第１の止着部１９が設けられているが、前面部１５Ａに形成されている前記薄肉部２３ｂは、第１の止着部１９が設けられた領域の裏側に重なるように延びている。
【００３３】
図３（Ａ）（Ｂ）に示されているように、図示する実施の形態では、薄肉部２３ａ，２３ｂ，２３ｃが、全て吸収体１８が存在していない不存在線状領域となっており、薄肉部２３ａ，２３ｂ，２３ｃでは、外面シート１６と内面シート１７がホットメルト型接着剤２４などにより直接に接着されている。また弾性部材２２が介在している部分では、前記薄肉部２３ａ，２３ｂ，２３ｃにおいて、内面シート１７および外面シート１６が弾性部材２２と接着されていることが好ましい。
このおむつ１５では、縦方向に直線状に延びる薄肉部２３ａ，２３ｂ，２３ｃが設けられ、薄肉部２３ａと２３ｂが形成されている領域αにおいて、弾性部材２２により前記薄肉部と直交する方向への弾性収縮力が与えられている。
【００３４】
この弾性収縮力が吸収体１８の剛軟度より大きいとき、図３（Ｂ）に示すように厚肉部がおむつの横方向両側から寄せられ、薄肉部２３ａを挟んで隣合う厚肉部どうしが密着し、さらに横方向に収縮して厚肉部における吸収体１８がおむつの内側（着用者の体側）に向けて凸形状に変形する。これにより、領域αにおいておむつは体に密着し、おむつと体との間に空間が形成されることはない。このようにおむつを体にフィットするように変形させるためには、例えばＪＩＳ  Ｐ８１２５で測定した吸収体１８の剛軟度が３〜２０ｇ・ｃｍのとき、２倍の長さに伸張したときの弾性力が１０ｇ以上である弾性部材を２本以上設ければ、弾性部材による弾性収縮力が吸収体の剛軟度を上回り、厚肉部において吸収体を収縮させることができる。但し、弾性収縮力が強すぎるとおむつの幅寸法が小さくなりすぎてしまうので、弾性部材一本当たりの弾性力の上限は１００ｇ程度で、本数は弾性部材の弾性力によって異なるが、通常２本ないし５０本程度が好ましい。
【００３５】
また、図２（Ｂ）に示すものでは、弾性部材２２の弾性力が与えられる領域αに、中間部１５Ｂ側の薄肉部２３ａの終端と、前面部１５Ａ側の薄肉部２３ｂの終端の双方が位置し、しかも両薄肉部２３ａと２３ｂが不連続であるため、中間部１５Ｂと前面部１５Ａの境界部では、吸収体１８の分割数が多くなるため、この部分でおむつが横方向へ収縮しやすくなり、前方へ膨らみにくくなる。
薄肉部２３ａと２３ｂとが互い違いに入り込む形状ではなく、図４（Ｂ）に示すように、両薄肉部２３ａと２３ｂの終端部どうしが縦方向の上下方向へ若干離れていても、両薄肉部２３ａと２３ｂが、弾性部材２２による弾性収縮力の影響を受ける位置に設けられていれば、αの領域において中間部１５Ｂと前面部１５Ａとが横方向へ収縮しやすくなり、吸収体１８の前方への膨らみを防止できる。しかし、図２（Ｂ）に示すように、中間部１５Ｂと前面部１５Ａとの境界領域において、３条の薄肉部２３ａと４条の薄肉部２３ｂとが互い違いに入り込むように交じり合っている構造とすると、この部分では、吸収体１８が横方向へ８分割されることになるため、弾性部材２２の収縮力を受けた吸収体１８が横方向に寄せられてさらに収縮しやすくなる。
【００３６】
したがって、おむつの吸収体１８が体にフィットし、吸収体１８と体の間に隙間が形成されなくなり、尿や便の洩れを防止できる。また中間部１５Ｂの薄肉部２３ａにより、おむつ１５を直に着用するときなどに尿が一箇所に集中することが防がれ、前面部および後面部の吸収体に尿を分散させやすくなる。
弾性部材２２による収縮力を受ける前記中間部１５Ｂの薄肉部２３ａおよび前面部１５Ａの薄肉部２３ｂは、隣合う薄肉部間の間隔（図２（Ｂ）にてＬで示す長さ）が、通常１０ないし１００ｍｍ程度で、薄肉部２３ａ，２３ｂの幅（図２（Ｂ）にｌで示す長さ）が１ないし１５ｍｍとなるよう形成される。この数値の範囲内で薄肉部２３ａ，２３ｂを形成すると、着用者の体の外周に沿って変形しやすく、且つ尿の分散性のよいおむつとなる。
【００３７】
このおむつ１５が成人男性に装着されるときには、通常図７（Ａ）（Ｂ）に示されているような尿取りパッド８が併用される。この尿取りパッド８は、図７（Ａ）に示すシート状のものが、外側シート９が外側に向くよう円錐形状に成形されて、図７（Ｂ）に示す袋状にされ、重ね合わせ部８ｂが体の前面部になるよう着用される。そして、尿取りパッド８を着用した状態で、おむつ１５の後面部１５Ｃを尻側に、中間部１５Ｂを股間部に、前面部１５Ａを腹側に当て、尿取りパッド８の粘着部１４をおむつ１５の前面部の内面シート１７に粘着接合し、止着部１９と２０とを掛止しておむつ１５が装着される。このとき、おむつ１５は薄肉部２３ａ，２３ｂ，２３ｃにより着用者の体の外周に沿って変形し、さらに前面部１５Ａと中間部１５Ｂの境界の領域αは尿取りパッド８の形状に合わせて変形する。そしてフロントギャザーＧが着用者の股間部に当たり、尿取りパッド８の外形に合わせて伸張して弾性的に尿取りパッド８にフィットし、尿取りパッド８を着用者の体から外れないよう押さえることができる。したがって、尿取りパッド８が位置ずれせず、尿取りパッド８によって効果的に尿を吸収できる。
【００３８】
また、このおむつ１５が女性に使用されるときには、前記尿取りパッド８は図７（Ａ）に示されるシート状のままで、おむつ１５の中間部１５Ｂの内面シート１７上に重ねられ、これが装着される。前記フロントギャザーＧは、この尿取りパッド８に当てられるので、尿取りパッド８をフロントギャザーＧにより安定的に保持できるものとなる。また女性用の尿取りパッドが用いられる場合には、弾性部材２２が図２（Ａ）よりもさらに中心線Ｏ寄りに設けられることが好ましい。
このように尿取りパッド８が用いられると、股間部および腰の部分で、装着されたおむつに膨らみが形成されるが、前記のように、このおむつでは、第２の止着部２０と２０がおむつの縦方向に対して斜めに向けられた状態で、第１の止着部１９，１９に止着されるため、前記の膨らみがあっても、ウエスト部分で細くでき、ウエストの部分において止着部１９と２０とで、おむつを確実に締め付けることが可能である。
【００３９】
また、尿取りパッドを使用せず、おむつ１５のみを装着するときには、フロントギャザーＧが着用者の股間部の形に沿って変形し、股間部に弾性的にフィットする。したがって、着用者の体とおむつ１５との間に隙間が生じず、尿や便の横洩れを防止でき、尿や便をおむつ１５内に確実に保持できる。また、前記薄肉部２３ａ，２３ｂ，２３ｃにより、尿を中間部にのみに集中させることなく分散できるので、おむつ１５の吸収性能を向上できる。
【００４０】
さらに、図２（Ａ）（Ｂ）に示すように、前面部１５Ａに形成された薄肉部２３ｂは、第１の止着部１９と重なる位置にまで延びている。前面部１５Ａに後翼片１５ｂ，１５ｂが重ねられて止着部１９と２０とが止着されるとき、前面部１５Ａの表面に変形力が与えられやすい。特に図２（Ａ）に示すように、第１の止着部１９が設けられた部分の近傍に弾性部材２２によるフロントギャザーＧが設けられていると、この弾性部材２２の収縮力が第１の止着部１９の部分に作用して、第１の止着部１９が横方向への収縮力を受けやすくなる。
この収縮力に対し、第１の止着部１９が設けられている部分では、図３（Ａ）に示したのと同様に薄肉部２３ｂの幅が縮まるが、薄肉部２３ｂと薄肉部２３ｂとの間の吸収体が存在している部分では横方向に若干縮まるにしろ、その表面はほぼ平坦となる。よって第１の止着部１９は、薄肉部２３ｂと薄肉部２３ｂとの間の部分で平坦な部分が残りやすくなり、この部分が止着領域として比較的広くなり、第２の止着部２０をこの平坦部にて第１の止着部１９に接合することにより、止着強度を高く確保できる。
【００４１】
図４（Ａ）（Ｂ）は、前述のように、中間部１５Ｂの方向へ延びる薄肉部２３ａと、前面部１５Ａの方向へ延びる薄肉部２３ｂの終端部どうしが、縦方向へ若干離れ、縦方向へ所定の幅Ｈａの領域となる薄肉部の不存在部２３ｄが形成された形態を示している。なお、この不存在部２３ｄは、弾性部材２２が設けられてフロントギャザーＧが形成されているαの領域の内部に位置している。
図３（Ｂ）に示すように、薄肉部２３ａまたは２３ｂが形成されている部分では、弾性部材２２による横方向への収縮力により、陥没が形成され、内面シート１７に凹部が形成され、内面シート１７の凹凸が顕著になる。しかし、薄肉部の不存在部２３ｄが設けられていると、この部分では内面シート１７の凹凸がやや緩やかになり、比較的平面領域を広く確保できる。図７（Ａ）（Ｂ）に示すように、尿取りパッド８がフロントギャザーＧの内側に設置されるとき、粘着部１４を前記不存在部２３ｄに粘着させると、薄肉部が存在していないために、粘着部１４と内面シート１７とが対面する確率（対面する面積）を広くできる。したがって、尿取りパッド８の接着強度を高くでき、パッドのずれを防止できる。
【００４２】
しかも、前記のように、薄肉部の不存在部２３ｄの前後には薄肉部２３ａと２３ｂが存在しているため、弾性部材２２でおむつを横方向へ収縮させる機能を大きく阻害することはない。
また薄肉部の不存在部２３ｄは、排尿位置に形成されるため、不存在部２３ｄに多くの吸収体１８が存在することにより、尿の吸収効果の低下を防止できる。
【００４３】
図５は本発明のおむつの他の実施の形態を示すものであり、おむつ１５を展開して外側から見た図である。この例では、弾性部材２２がおむつの両端から中央に向かうにつれて、おむつ１５の中間部１５Ｂの中心方向へ突出するように湾曲して取り付けられている。このように弾性部材２２を形成すると、おむつ１５は尿取りパッド８および着用者の股間部の形により合うように変形し、さらにフィット性の高いものとなる。
また図５においても、第１の止着部１９の縦方向の配置ピッチＰ１よりも、第２の止着部２０の縦方向の配置ピッチＰ２の方が大きく、また第１の止着部１９の終端部間の寸法Ｈ１よりも、第２の止着部２０の終端部間の寸法Ｈ２の方が大きく、さらに第１の止着部１９の縦方向の幅寸法Ｂ１が第２の止着部２０の縦方向の幅寸法Ｂ２よりも十分に大きくなっている。
【００４４】
よって、身体に装着されたときに、必然的に胴回り部分（ウエスト）の部分で細くでき、胴回り部分におむつを確実に締め付けることができる。
また図５でも前面部１５Ａにおいて、薄肉部２３ｂが、第１の止着部１９と重なる領域に形成されている。
【００４５】
【発明の効果】
以上詳述したように本発明は、第１の止着部と第２の止着部の相対的な位置の設定により、身体に装着されたときに腰回り部分で太く、胴回り部分で細くすることができ、胴回り部分におむつを確実に締め付けることができ、位置ずれしにくくなる。また股間部や腰の部分でおむつに膨らみが生じても、腰回りでの締め付けを確実にでき、身体の形状にフィットしやすくなる。
【図面の簡単な説明】
【図１】本発明のおむつの着用されたときの状態を示す斜視図、
【図２】本発明のおむつの展開平面図で、（Ａ）はおむつの表側の展開平面図、（Ｂ）は裏側の展開平面図、
【図３】図２または図４のＩＩＩ−ＩＩＩ線の断面図であり、（Ａ）は展開状態、（Ｂ）は弾性部材が収縮してフロントギャザーＧが形成された状態を示す、
【図４】本発明の他の実施の形態のおむつの展開平面図で、（Ａ）はおむつの表側の展開平面図、（Ｂ）は裏側の展開平面図、
【図５】本発明の他の実施形態のおむつの展開図、
【図６】従来のおむつの正面図、
【図７】尿取りパッドを示す図で、（Ａ）は着用前の平面状の状態を示し、（Ｂ）は着用するために円錐形状に成形された状態を示す、
【符号の説明】
８  尿取りパッド
１５  おむつ
１６  外面シート
１７  内面シート
１８  吸収体
１９  第１の止着部
２０  第２の止着部
２２  弾性部材
２３ａ，２３ｂ，２３ｃ  薄肉部
２３ｄ  薄肉部の不存在領域
Ｇ  フロントギャザー
Ｐ１  第１の止着部のピッチ
Ｐ２  第２の止着部のピッチ
Ｈ１  第１の止着部の終端部間の寸法
Ｈ２  第２の止着部の終端部間の寸法
【図１】
0003589539.tif 000002
【図２】
0003589539.tif 000003
【図３】
0003589539.tif 000004
【図４】
0003589539.tif 000005
【図５】
0003589539.tif 000006
【図６】
0003589539.tif 000007
【図７】
0003589539.tif 000008